(57)【要約】【課題】  可動部を動かすことで、間接照明と直接照明を実現することができ、間接照明状態では、側面のみを光らせて鏡面を壁面から浮かしたように見せることのできる浴室用鏡付照明を提供する。【解決手段】  少なくとも側面が透光性のある箱型形状のケース８の前面に、壁面４から浮き上げ状に鏡面９が形成され、この鏡面９の左右両端側は、ケース８内の光源交換のための着脱可能な照明カバー１０となっており、この照明カバー１０は、ケース８に固定された透光性のある固定部１２と、この固定部１２の前面側の不透光性の可動部１３で構成されている。【選択図】  図２
2006115955.tif 000002
【特許請求の範囲】
【請求項１】
少なくとも側面が透光性のある箱型形状のケースの前面に、浴室壁から浮き上げ状に鏡面が形成され、該鏡面の側方には、前記ケース内の光源交換のための着脱可能な照明カバーが設けられ、該照明カバーは、前記ケースに固定された透光性の固定部と、該固定部の前面側の不透光性の可動部で構成されていることを特徴とする浴室用鏡付照明。
【請求項２】
前記照明カバーの固定部と可動部が連結されていることを特徴とする請求項１に記載の浴室用鏡付照明。
【請求項３】
前記固定部を前記ケースに固定する取付部材は、前記可動部により隠蔽される位置に設けられていることを特徴とする請求項２に記載の浴室用鏡付照明。
【請求項４】
前記可動部は、回転軸を介し回動可能であるとともに、該可動部の表面または裏面が光を反射可能に構成されていることを特徴とする請求項１または請求項２または請求項３に記載の浴室用鏡付照明。
【発明の詳細な説明】
【技術分野】
【０００１】
本発明は、浴室の壁面に設置される浴室用鏡付照明に関するものである。
【背景技術】
【０００２】
従来、特許文献１に開示されているように、化粧鏡の両側に透光性の着脱可能な照明カバーと可動して光を人の正面に導くことのできる調光反射板を設けた箱型形状の鏡付き化粧台が存在する。
また、特許文献２に開示されているように、鏡の側面に照明カバーを設けた構成の浴室鏡が存在する。
【特許文献１】特開平４−１２２２０９号公報
【特許文献２】特開２００４−０３３３３６号公報
【発明の開示】
【発明が解決しようとする課題】
【０００３】
上記特許文献１に開示されている構成は、直接照明であり、また上記特許文献２に開示されているものは、間接照明を構成するものであり、間接照明にも直接照明にもなる構造の浴室用鏡付照明は存在しないものであった。
【課題を解決するための手段】
【０００４】
本発明は上記従来の問題点に鑑み案出したものであって、可動部を動かすと光を正面に導いて、直接照明として使用することができ、また可動部を元に納めると、可動部により正面への光を遮り、側面のみが光る間接照明とすることのできる浴室用鏡付照明を提供するものであり、その請求項１は、少なくとも側面が透光性のある箱型形状のケースの前面に、浴室壁から浮き上げ状に鏡面が形成され、該鏡面の側方には、前記ケース内の光源交換のための着脱可能な照明カバーが設けられ、該照明カバーは、前記ケースに固定された透光性の固定部と、該固定部の前面側の不透光性の可動部で構成されていることである。
【０００５】
また請求項２は、前記照明カバーの固定部と可動部が連結されていることである。
【０００６】
また請求項３は、前記固定部を前記ケースに固定する取付部材は、前記可動部により隠蔽される位置に設けられていることである。
【０００７】
また請求項４は、前記可動部は、回転軸を介し回動可能であるとともに、該可動部の表面または裏面が光を反射可能に構成されていることである。
【発明の効果】
【０００８】
本発明の浴室用鏡付照明は、少なくとも側面が透光性のある箱型形状のケースの前面に、浴室壁から浮き上げ状に鏡面が形成され、鏡面の側方には、ケース内の光源交換のための着脱可能な照明カバーが設けられ、照明カバーは、ケースに固定された透光性の固定部と、固定部の前面側の不透光性の可動部で構成されていることにより、照明カバーの可動部を動かすと、光を正面に導くことができ、フェイスライトとして使用することができるとともに、可動部を元に納めると正面への光を遮り、ケースの側面のみを光らせて鏡を浮かしたように見せることのできる間接照明とすることができ、可動部を動かすことで、間接照明と直接照明を実現することができるものとなる。
【０００９】
また、照明カバーの固定部と可動部が連結されていることにより、固定部をケースから外すことで可動部も同時に外すことができ、内部の光源の交換時に容易に作業を行うことができるものとなる。
【００１０】
また、固定部をケースに固定する取付部材は、可動部により隠蔽される位置に設けられていることにより、固定部をケースに固定する取付部材が、可動部を動かした時のみ見えるため、間接照明として用いる通常の使用時は、取付部材が可動部に隠されて見えないために、設置状態の見栄え性が向上したものとなる。
【００１１】
また、可動部は、回転軸を介し回動可能であるとともに、可動部の表面または裏面が光を反射可能に構成されていることにより、反射可能な可動部を動かすことで、光を所定の位置に反射させることができて、光を所望の位置に導くことができ、顔を照らす場合等に使用勝手が良好なものとなる。
【実施例】
【００１２】
以下、本発明の実施例を図面に基づいて説明する。
図１〜図５は、第１実施例を示すものであり、浴室１内には浴槽２が設置され、洗い場３側の壁面４には、浴室用鏡付照明５が設置されており、その下方に水栓６と洗面器台７が設置されている。
浴室用鏡付照明５は、箱型のケース８の前面に鏡面９が設けられ、鏡面９の左右側方には、照明カバー１０，１０が設けられている。
【００１３】
この照明カバー１０は、図２の斜視図で、また図３の水平方向断面拡大図で示すように構成されており、照明カバー１０は、前固定部１２の外端側に回転軸１６を介して回動可能に可動部１３が連結されて成り、前固定部１２は、上下に２本の取付ネジ１１，１１をケース８のネジ孔８ａ内に前面側から締め付けて、ケース８に固定されるものであり、断面Ｌ字状の、例えば乳白色の透光性のプレート材で構成されている。なお、防水シート２６で水密に封止されて磁石２４が設けられている。
【００１４】
また、可動部１３は裏側が光を反射可能な反射面に構成されており、前面側は鏡面となった不透光性のプレートで構成されている。この可動部１３は、回転軸１６を中心として前方側へ回動可能であり、可動部１３を前固定部１２の前面に被せた時には、取付ネジ１１，１１がこの可動部１３で隠されて、可動部１３の前面は、鏡面９と面一状を成してケース８の前側全域が鏡面となるように構成されている。なお、可動部１３を前固定部１２の前面に被せた時には、可動部１３に設けられている防水シートで水密に封止された鉄板２５が、磁石２４に磁着されるように構成されている。
【００１５】
なお、ケース８は、上面及び下面及び側面が、例えば乳白色の透光性のある素材で構成されており、図示右側の脱衣室側の壁面側には、乳白色の側固定部１４が取付ネジ１５，１５で着脱可能かつ水密状に取り付けられている。
なお、ケース８内の左右両端側には、光源である防水性の蛍光灯１７，１７が内装されている。この蛍光灯１７を交換する際には、前記取付ネジ１１，１１を緩めて取り外すことにより、ケース８から前固定部１２を取り外すことができ、この前固定部１２を取り外すことにより、連結されている可動部１３も同時に取り外すことができるものである。
【００１６】
この取り外した状態を図４に示す。更に、この状態で、取付ネジ１５，１５を取り外して側固定部１４も取り外すことができ、この取り外し状態を図５に示す。
このように、前面及び脱衣室側の側面を開放することで、容易に内部の蛍光灯１７を前面または側面側から手を入れて容易に交換することができ、交換作業が容易なものとなる。
このような構成においては、通常は、左右の照明カバー１０，１０のそれぞれの可動部１３が閉じられて使用されるものであり、この場合は、前面側全域が鏡面９となって、すっきりとした設置状態が得られ、しかもケース８の上下面及び左右側面が透光性となっているため、蛍光灯１７を点灯させた時に、蛍光灯１７からの光はケース８の上下面及び左右側面４面から間接照明として外側に出て、鏡面９を壁面４から浮かび上がらせたような状態となり、意匠性に優れた間接照明を実現することができるものとなる。
【００１７】
また、可動部１３を全開することにより、蛍光灯１７からの光は、透光性のある前固定部１２を通して正面側に導かれることとなり、この場合は、左右側で正面側に光が出て、直接照明として浴室１内を明るく照らすことができるものとなる。
また、必要に応じ可動部１３を傾けることで、可動部１３が反射板として作用して、可動部１３の角度を変えることで光を好みの場所に導くことができ、顔を照らす場合等に有効に使用することができ、使用勝手が良好なものとなる。
【００１８】
次に、図６〜図１４に示すものは、浴室用鏡付照明の第２実施例である。
本例においても、浴室用鏡付照明５は、上下面及び左右側面が透光性のある箱状のケース８の前面に、鏡面９が形成されており、この鏡面９の左右両端側に照明カバー１０，１０が設けられている。
本例における照明カバー１０は、ケース８に固定された固定部２０に対し、可動部２１を横方向にスライドさせて開閉できるように構成したものであり、後述する背面２０ａは乳白色等の透光性があるものとなっており、また可動部２１は不透明な反射面を構成している。
【００１９】
図６の状態は、固定部２０に対し可動部２１を横方向へスライドさせて開いた状態であり、図７は、可動部２１を固定部２０に対し傾けて光を所望の位置に導く場合である。
【００２０】
また、図８は、固定部２０と共に可動部２１をケース８から取り外した状態の斜視構成図である。なお、固定部２０は、ケース８に形成されたネジ孔８ａ，８ａに取付ネジ１１をねじ込んで、ケース８に水密状に固定されるものである。
【００２１】
先ず、固定部２０を図１３の斜視図において説明すると、固定部２０は、前面側が開放されて、裏側には背面２０ａを有する箱状に形成され、上下面には横方向にスライド溝孔２０ｂ，２０ｂが形成されており、上下面の背面２０ａ側上下端には、段状に切り欠いてスライド段溝２０ｃ，２０ｃが横方向に形成されている。この断面図は、図１４に示す。
また、背面２０ａには、取付ネジ１１を通すネジ通し孔２０ｄ，２０ｄが形成されている。
【００２２】
一方、可動部２１は、図１２の斜視図で示すような構造となっており、前面２１ａと交差状の側面２１ｄに、上面２１ｂと下面２１ｃが一体化されて、上面２１ｂ及び下面２１ｃの前面２１ａと反対側の端部には、上下に対向して突出状に裏凸条部２１ｅ，２１ｅが形成されており、この上下の裏凸条部２１ｅ，２１ｅが、前記固定部２０のスライド段溝２０ｃ，２０ｃに係合できるように構成されている。
なお、可動部２１の前面２１ａの裏側は光を反射することのできる反射面となっている。
【００２３】
また、上面２１ｂ及び下面２１ｃから対向状に内側へ突出して上下の軸ピン２２，２２が設けられており、この上下の軸ピン２２，２２が、前記固定部２０のスライド溝孔２０ｂ，２０ｂ内に、図１４の断面図で示すように係合されるものである。
従って、固定部２０のスライド溝孔２０ｂ，２０ｂ内に、可動部２１の軸ピン２２，２２を係合させ、また固定部２０のスライド段溝２０ｃ，２０ｃに、可動部２１の裏凸条部２１ｅ，２１ｅを係合させて、固定部２０の前面に可動部２１を閉ざした状態では、図９の斜視図で示すように、固定部２０の前面側が可動部２１の前面２１ａで閉ざされて、この状態では蛍光灯１７からの光は閉ざされることとなり、ケース８の上下左右の側面のみから光が外側へ導かれて、浴室用鏡付照明５は良好な間接照明となる。
【００２４】
続いて、図１０に示すように、固定部２０に対し可動部２１を横方向へスライドさせて開いた状態では、固定部２０の背面２０ａは透光性のあるものとなっているため、内部の蛍光灯１７の光は、固定部２０の背面２０ａを通り、正面側に導かれることとなり、この場合は直接照明となって、フェイスライトとして使用することができるものである。
【００２５】
また、必要に応じて図１１に示すように、可動部２１を、上下の軸ピン２２，２２を中心としてスライド溝孔２０ｂ，２０ｂ内で適宜回動させて、可動部２１を傾けて使用することができ、この場合は可動部２１が反射板となって、光を所望の位置に導くことができ、顔を照らす場合等に有効に使用することができるものとなる。
【００２６】
なお、図９のように、可動部２１を閉ざした状態では、取付ネジ１１，１１は隠蔽されるため、鏡面９と可動部２１の前面２１ａが面一状態となって、ケース８の前面全域が鏡面となり、すっきりとした設置状態を得ることができ、しかもこの状態で蛍光灯１７を点灯させることにより、ケース８の側面側から光が出て、鏡面９が壁面４から浮かび上がったように視認され、意匠性に優れた間接照明となる。
【図面の簡単な説明】
【００２７】
【図１】浴室用鏡付照明を浴室の壁面に設置した状態の斜視構成図である。
【図２】浴室用鏡付照明の拡大斜視構成図である。
【図３】浴室用鏡付照明の照明カバーの可動部を開いた状態の横断面拡大構成図である。
【図４】照明カバーを取り外した状態の要部斜視図である。
【図５】更に側面の固定部を取り外して蛍光灯を交換する際の要部斜視構成図である。
【図６】第２実施例を示す浴室用鏡付照明の照明カバーの可動部を開いた状態の斜視構成図である。
【図７】照明カバーの可動部を傾けた状態の斜視構成図である。
【図８】照明カバーを取り外した状態の斜視構成図である。
【図９】照明カバーの可動部を閉ざした状態の斜視構成図である。
【図１０】照明カバーの固定部から可動部をスライドさせて開いた状態の斜視構成図である。
【図１１】更に固定部に対し可動部を傾けた状態の斜視構成図である。
【図１２】可動部の裏側からの斜視構成図である。
【図１３】固定部の斜視構成図である。
【図１４】固定部と可動部の係合状態を示す縦断面構成図である。
【符号の説明】
【００２８】
１  浴槽
３  洗い場
４  壁面
５  浴室用鏡付照明
６  水栓
８  ケース
８ａ，８ｂ  ネジ孔
９  鏡面
１０  照明カバー
１１  取付ネジ
１２  前固定部
１３  可動部
１４  側固定部
１５  取付ネジ
１６  回転軸
１７  蛍光灯
２０  固定部
２０ａ  背面
２０ｂ  スライド溝孔
２０ｃ  スライド段溝
２１  可動部
２１ａ  前面
２１ｅ  裏凸条部
２２  軸ピン
２４  磁石
２５  鉄板
【図１】
2006115955.tif 000003
【図２】
2006115955.tif 000004
【図３】
2006115955.tif 000005
【図４】
2006115955.tif 000006
【図５】
2006115955.tif 000007
【図６】
2006115955.tif 000008
【図７】
2006115955.tif 000009
【図８】
2006115955.tif 000010
【図９】
2006115955.tif 000011
【図１０】
2006115955.tif 000012
【図１１】
2006115955.tif 000013
【図１２】
2006115955.tif 000014
【図１３】
2006115955.tif 000015
【図１４】
2006115955.tif 000016